【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
人体の運動に伴って取得された運動データであってかつ前記人体の運動中の位置に関連するデータを含む前記運動データの中から、抽出条件に対応する前記運動データを抽出するデータ抽出部と、
分析に供するために、抽出された前記運動データを転送するデータ転送部と、
を備え、
前記データ抽出部は、
地形変化または気象変化の情報を含む環境情報が蓄積された環境情報蓄積部から、前記人体の運動中の位置に関連するデータに対応する前記環境情報を取得し、取得した前記環境情報に基づいて、前記抽出条件を設定することを特徴とするデータ抽出システム。
【請求項２】
前記環境情報蓄積部は、前記データ抽出部にネットワークを介して接続され、
前記データ抽出部は、
前記抽出した前記環境情報を、前記ネットワークを介して、前記環境情報蓄積部から取得することを特徴とする請求項１に記載のデータ抽出システム。
【請求項３】
前記抽出条件は、前記人体の移動距離、経過時間、心拍数変化、移動速度変化、前記地形変化、および、前記気象変化を含む複数の条件のうちのいずれか一つ、または、前記複数の条件のうちのいずれか２つ以上の任意の組み合せであることを特徴とする請求項１又は２に記載のデータ抽出システム。
【請求項４】
前記運動データの中から分析処理に供する部分を抽出するための抽出条件を指定する抽出条件指定部を、さらに備え、
前記抽出条件指定部は、前記データ転送部とともに、同一の情報通信端末に設けられていることを特徴とする請求項１乃至３のいずれかに記載のデータ抽出システム。
【請求項５】
前記運動データを取得する運動データ取得部と、
前記運動データの中から分析処理に供する部分を抽出するための抽出条件を指定する抽出条件指定部と、をさらに備え、
前記抽出条件指定部は、前記運動データ取得部とともに、同一のセンサ機器に設けられていることを特徴とする請求項１乃至３のいずれかに記載のデータ抽出システム。
【請求項６】
前記データ転送部により転送された前記運動データを用いて前記分析処理を実行するデータ分析部を、さらに備え、
前記データ分析部は、ネットワークを介して前記データ転送部に接続されていることを特徴とする請求項１乃至５のいずれかに記載のデータ抽出システム。
【請求項７】
前記データ転送部により転送された前記運動データを用いて前記分析処理を実行するデータ分析部を、さらに備え、
前記データ分析部は、前記データ転送部とともに、同一の情報通信端末に設けられていることを特徴とする請求項１乃至６のいずれかに記載のデータ抽出システム。
【請求項８】
前記データ転送部により転送された前記運動データを用いて前記分析処理を実行するデータ分析部と、
前記データ分析部における前記分析処理により生成された分析データを、ユーザに提供するための分析データ提供部とを、さらに備え、
前記分析データ提供部は、前記データ転送部とともに、同一の情報通信端末に設けられていることを特徴とする請求項１乃至７のいずれかに記載のデータ抽出システム。
【請求項９】
人体の運動に伴って取得された運動データであってかつ前記人体の運動中の位置に関連するデータを含む前記運動データの中から、抽出条件に対応する前記運動データを抽出し、
分析に供するために、抽出された前記運動データを転送し、
前記運動データを抽出することは、
地形変化または気象変化の情報を含む環境情報が蓄積された環境情報蓄積部から、前記人体の運動中の位置に関連するデータに対応する前記環境情報を取得し、取得した前記環境情報に基づいて、前記抽出条件を設定することを含む、
ことを特徴とするデータ抽出方法。
【請求項１０】
コンピュータに、
人体の運動に伴って取得された運動データであってかつ前記人体の運動中の位置に関連するデータを含む前記運動データの中から、抽出条件に対応する前記運動データを抽出させ、
分析に供するために、抽出された前記運動データを転送させることを含み、
前記コンピュータに、前記運動データを抽出させることは、
地形変化または気象変化の情報を含む環境情報が蓄積された環境情報蓄積部から、前記人体の運動中の位置に関連するデータに対応する前記環境情報を取得させ、取得させた前記環境情報に基づいて、前記抽出条件を設定させることを含む、
ことを特徴とするデータ抽出プログラム。
【手続補正２】
【補正対象書類名】明細書
【補正対象項目名】発明の名称
【補正方法】変更
【補正の内容】
【発明の名称】データ抽出システム、データ抽出方法およびデータ抽出プログラム
【手続補正３】
【補正対象書類名】明細書
【補正対象項目名】０００１
【補正方法】変更
【補正の内容】
【０００１】
本発明は、データ抽出システム、データ抽出方法およびデータ抽出プログラムに関する。
【手続補正４】
【補正対象書類名】明細書
【補正対象項目名】０００８
【補正方法】変更
【補正の内容】
【０００８】
本発明に係るデータ抽出システムは、
人体の運動に伴って取得された運動データであってかつ前記人体の運動中の位置に関連するデータを含む前記運動データの中から、抽出条件に対応する前記運動データを抽出するデータ抽出部と、
分析に供するために、抽出された前記運動データを転送するデータ転送部と、
を備え、
前記データ抽出部は、
地形変化または気象変化の情報を含む環境情報が蓄積された環境情報蓄積部から、前記人体の運動中の位置に関連するデータに対応する前記環境情報を取得し、取得した前記環境情報に基づいて、前記抽出条件を設定することを特徴とする。
【手続補正５】
【補正対象書類名】明細書
【補正対象項目名】０００９
【補正方法】変更
【補正の内容】
【０００９】
本発明に係るデータ抽出方法は、
人体の運動に伴って取得された運動データであってかつ前記人体の運動中の位置に関連するデータを含む前記運動データの中から、抽出条件に対応する前記運動データを抽出し、
分析に供するために、抽出された前記運動データを転送し、
前記運動データを抽出することは、
地形変化または気象変化の情報を含む環境情報が蓄積された環境情報蓄積部から、前記人体の運動中の位置に関連するデータに対応する前記環境情報を取得し、取得した前記環境情報に基づいて、前記抽出条件を設定することを含む、ことを特徴とする。
【手続補正６】
【補正対象書類名】明細書
【補正対象項目名】００１０
【補正方法】変更
【補正の内容】
【００１０】
本発明に係るセンサデータ抽出プログラムは、
コンピュータに、
人体の運動に伴って取得された運動データであってかつ前記人体の運動中の位置に関連するデータを含む前記運動データの中から、抽出条件に対応する前記運動データを抽出させ、
分析に供するために、抽出された前記運動データを転送させることを含み、
前記コンピュータに、前記運動データを抽出させることは、
地形変化または気象変化の情報を含む環境情報が蓄積された環境情報蓄積部から、前記人体の運動中の位置に関連するデータに対応する前記環境情報を取得させ、取得させた前記環境情報に基づいて、前記抽出条件を設定させることを含む、ことを特徴とする。
【手続補正７】
【補正対象書類名】明細書
【補正対象項目名】００１１
【補正方法】変更
【補正の内容】
【００１１】
本発明によれば、運動データを効率的に転送することができるとともに、人体の運動に伴って取得された運動データであってかつその人体の運動中の位置に関連するデータを含む運動データを保存するためのメモリの記憶容量を削減することができる。